(57)【要約】【課題】視覚障がい者であっても、表示画面上の所望の操作位置を容易に把握して入力操作を行うことが可能な情報入力装置を提供する。【解決手段】情報入力装置１は、操作検出部１１２と表示部１１１と動作モード切替部１２４と操作領域情報報知部１２５ｂと情報入力部１２３とを備える。操作検出部１１２は、表示画面上の操作を検出する。表示部１１１は、表示画面の表示領域に、第１と第２の動作モードの切り替え操作を行うための動作モード切替操作領域及び情報の入力操作を行うための入力操作領域を有する。動作モード切替部１２４は、動作モード切替操作領域の長押し操作を検出すると、自装置を第２の動作モードに切り替える。操作領域情報報知部１２５ｂは、第２の動作モード時に入力操作領域の操作を検出すると、報知情報を出力する。情報入力部１２３は、第１の動作モード時に入力操作領域の操作を検出すると、該当する情報を入力する。【選択図】図１
2019057233.tif 000002
【特許請求の範囲】
【請求項１】
表示画面上の操作を検出する操作検出部と、
前記表示画面の表示領域に、第１の動作モードと第２の動作モードとの切り替え操作を行うための動作モード切替操作領域及び情報の入力操作を行うための入力操作領域を有する表示部と、
前記操作検出部が前記表示部の前記動作モード切替操作領域の長押し操作を検出すると、自装置を前記第２の動作モードで動作させるように動作モードを切り替える動作モード切替部と、
前記第２の動作モード時に、前記操作検出部が前記入力操作領域の操作を検出すると、報知情報を出力する操作領域情報報知部と、
前記第１の動作モード時に、前記操作検出部が前記入力操作領域の操作を検出すると、該当する情報を入力する情報入力部と
を備えることを特徴とする情報入力装置。
【請求項２】
前記操作領域情報報知部は、アラーム音もしくは該当する入力操作領域の機能に関する音声情報を出力するかまたは、前記自装置を振動させる
ことを特徴とする請求項１に記載の情報入力装置。
【請求項３】
前記操作領域情報報知部は、前記入力操作領域が操作され、当該操作をしていた指が前記表示部から離れると、前記入力操作領域の機能に関する音声情報を出力する
ことを特徴とする請求項１または請求項２に記載の情報入力装置。
【請求項４】
前記操作領域情報報知部は、第１の動作モードから第２の動作モードに切り替えられたときに、前記表示部に表示された入力操作領域の数または対応する機能に関する音声情報を出力する
ことを特徴とする請求項１から請求項３いずれか１項に記載の情報入力装置。
【請求項５】
前記表示部には、複数の入力操作領域が設定され、
前記動作モード切替部により第１の動作モードから第２のモードに切り替えられると、隣り合う入力操作領域との間隔が広くなるように、各入力操作領域を小さくする操作領域変更部をさらに備える
ことを特徴とする請求項１から請求項４いずれか１項に記載の情報入力装置。
【請求項６】
前記操作領域変更部は、前記動作モード切替部により第１の動作モードから第２のモードに切り替えられると、所定範囲内に隣り合う入力操作領域がない場合には、該当する入力操作領域を大きくする
ことを特徴とする請求項５に記載の情報入力装置。
【請求項７】
第１の動作モードと第２の動作モードとの切り替え操作を行うための動作モード切替操作領域、及び情報の入力操作を行うための入力操作領域を有する表示部において、前記動作モード切替操作領域に対する長押し操作を検出すると自装置が前記第２の動作モードで動作するように動作モードを切り替え、
前記第２の動作モード時に前記入力操作領域の操作を検出すると報知情報を出力し、
前記第１の動作モード時に前記入力操作領域の操作を検出すると該当する情報を入力する
ことを特徴とする情報入力方法。
【発明の詳細な説明】
【技術分野】
【０００１】
本発明は、視覚障がい者が容易に操作可能な、情報入力装置および情報入力方法に関する。
【背景技術】
【０００２】
近年、タッチパネルを用いた情報入力装置が広く普及している。タッチパネルは、所望の機能を起動させるための情報を、対応する表示情報へのワンタッチ操作で入力可能であり、高い操作性を有している。
【先行技術文献】
【特許文献】
【０００３】
【特許文献１】特開平１１−１１０１０７公報
【発明の概要】
【発明が解決しようとする課題】
【０００４】
しかし、タッチパネルは、高い操作性を有する一方で簡易なタッチ操作で入力操作が確定しまうため、ユーザが意図せずに画面に接触することにより誤操作が発生する可能性がある。特に、視覚障がい者は、タッチパネルの表示情報を視認することができないため、画面上で意図しない機能に対応する位置をタッチ操作してしまったり、有効なタッチ操作ができなかったりする場合があり、情報の入力操作を行うことが困難であるという問題があった。
【０００５】
よって本発明は、視覚障がい者であっても、表示画面上の所望の操作位置を容易に把握して入力操作を行うことが可能な、情報入力装置および情報入力方法を提供することを目的とする。
【課題を解決するための手段】
【０００６】
上記目的を達成するための本発明の情報入力装置は、表示画面上の操作を検出する操作検出部と、前記表示画面の表示領域に、第１の動作モードと第２の動作モードとの切り替え操作を行うための動作モード切替操作領域及び情報の入力操作を行うための入力操作領域を有する表示部と、前記操作検出部が前記表示部の前記動作モード切替操作領域の長押し操作を検出すると、自装置を前記第２の動作モードで動作させるように動作モードを切り替える動作モード切替部と、前記第２の動作モード時に、前記操作検出部が前記入力操作領域の操作を検出すると、報知情報を出力する操作領域情報報知部と、前記第１の動作モード時に、前記操作検出部が前記入力操作領域の操作を検出すると、該当する情報を入力する情報入力部とを備えることを特徴とする。
【０００７】
また、本発明の情報入力方法は、第１の動作モードと第２の動作モードとの切り替え操作を行うための動作モード切替操作領域、及び情報の入力操作を行うための入力操作領域を有する表示部において、前記動作モード切替操作領域に対する長押し操作を検出すると自装置が前記第２の動作モードで動作するように動作モードを切り替え、前記第２の動作モード時に前記入力操作領域の操作を検出すると報知情報を出力し、前記第１の動作モード時に前記入力操作領域の操作を検出すると該当する情報を入力することを特徴とする。
【発明の効果】
【０００８】
本発明の情報入力装置および情報入力方法によれば、視覚障がい者であっても、表示画面上の所望の操作位置を容易に把握して入力操作を行うことができる。
【図面の簡単な説明】
【０００９】
【図１】本発明の一実施形態による情報入力装置の構成を示すブロック図である。
【図２】本発明の一実施形態による情報入力装置のタッチパネルに表示される通常動作モードにおける表示情報の一例である。
【図３】本発明の一実施形態による情報入力装置の動作を示すフローチャートである。
【図４】本発明の一実施形態による情報入力装置のタッチパネルに表示されるブラインドモードにおける表示情報の一例である。
【図５】本発明の一実施形態による情報入力装置でブラインドモード時に実行される探索操作(1)の処理を示すフローチャートである。
【図６】本発明の一実施形態による情報入力装置でブラインドモード時に実行される探索操作(2)の処理を示すフローチャートである。
【発明を実施するための形態】
【００１０】
〈一実施形態による情報入力装置の構成〉
本発明の一実施形態による情報入力装置の構成について、図１を参照して説明する。本実施形態による情報入力装置１は、タッチパネル１１と、ＣＰＵ１２と、スピーカ１３とを有する。
【００１１】
タッチパネル１１は、例えば液晶で表示をおこなう表示部１１１と表示部１１１上に形成され操作を検出する操作検出部１１２と振動モータで構成されタッチパネルを振動する振動部１１３とを有する。表示部１１１の表示画面上には第１の動作モードである通常動作モードと第２の動作モードである視覚障がい者用動作モード（ブラインドモード）との切り替え操作を行うための動作モード切替操作領域１０１と、所定情報の入力操作を行うための入力操作領域とを有する。
【００１２】
ＣＰＵ１２は、操作位置検出部１２１と、操作種別判定部１２２と、情報入力部１２３と、動作モード切替部１２４と、ブラインドモード制御部１２５と、表示制御部１２６と、音声出力制御部１２７と、振動制御部１２８とを有する。
【００１３】
操作位置検出部１２１は、操作検出部１１２で検出されたタッチ操作に関し、タッチパネル１１内におけるタッチ操作位置を検出する。そして、検出したタッチ操作位置が、表示部１１１に表示された動作モード切替操作領域１０１または入力操作領域に該当するか否かを判定する。操作種別判定部１２２は、操作検出部１１２で検出されたタッチ操作の操作種別、例えば短押し操作、長押し操作、またはドラッグ操作のいずれかを判定する。
【００１４】
情報入力部１２３は、通常動作モード時に、操作位置検出部１２１および操作種別判定部１２２の判定処理により、入力操作領域が短押し操作されたとことを検知すると、該当する情報の入力処理を行う。
【００１５】
動作モード切替部１２４は、タッチパネル１１上で、動作モード切替操作領域１０１が長押し操作されている間は、自情報入力装置１をブラインドモードで動作させ、それ以外のときには通常動作モードで動作させるように、動作モードを切り替える。
【００１６】
ブラインドモード制御部１２５は、操作領域変更部１２５ａと、操作領域情報報知部１２５ｂとを有する。操作領域変更部１２５ａは、動作モード切替部１２４により通常動作モードからブラインドモードに切り替えられると、表示制御部１２６を介して表示部１１１に表示されている各入力操作領域の大きさを変更する。操作領域情報報知部１２５ｂは、ブラインドモード時にタッチパネル１１上でドラッグ操作が行われ、当該ドラッグ操作内で入力操作領域が操作されたことを検知すると、スピーカ１３から報知情報を出力させる。またブラインドモード時にタッチパネル１１上で、直接入力操作領域が操作されたことを検知すると、同様にスピーカ１３から報知情報を出力させる。
【００１７】
表示制御部１２６は、表示部１１１への情報の表示を制御する。音声出力制御部１２７は、スピーカ１３からの報知情報の出力を制御する。振動制御部１２８は、振動部１１３による振動動作を制御する。
【００１８】
〈一実施形態による情報入力装置の動作〉
次に、本実施形態による情報入力装置１で実行される処理について説明する。本実施形態において、情報入力装置１はオーディオ機器を操作するための情報を入力するものであり、通常動作モード時にタッチパネル１１の表示部１１１は、図２に示す表示情報が表示されている。
【００１９】
図２の表示情報は、画面左上に設けられた動作モード切替操作領域１０１と、複数の入力操作領域とを有する。図２においては、複数の入力操作領域として、再生中のオーディオファイルの再生位置を指定するための再生位置指定操作領域１０２と、早戻しさせるための早戻し操作領域１０３と、再生または一時停止させるための再生／一時停止操作領域１０４と、停止させるための停止操作領域１０５と、早送りするための入力操作領域である早送り操作領域１０６とを有する。
【００２０】
上述した表示情報が表示部１１１に表示されている状態で、ユーザのタッチ操作により情報入力装置１で実行される処理について、図３のフローチャートを参照して説明する。ユーザが左手の指で動作モード切替操作領域１０１を短押し操作すると（Ｓ１の「YES」）、当該操作が操作検出部１１２で検出される。そして、操作位置検出部１２１で当該操作のタッチ位置が検出されるとともに、操作種別判定部１２２で当該操作の操作種別が判定される。ここでは、タッチ位置が動作モード切替操作領域１０１であり、操作種別が短押し操作であると判定される。
【００２１】
動作モード切替操作領域１０１が短押し操作されると、現在タッチパネル１１の操作が有効な状態であれば（Ｓ２の「YES」）、タッチパネル１１の操作有効を示す報知情報、および現在タッチパネル１１上で入力操作可能な領域の機能に関する音声情報が、音声出力制御部１２７を介してスピーカ１３から出力される（Ｓ３）。ここで出力される報知情報は、例えば所定の報知音または音声情報であり、出力される音声情報は、入力操作可能な領域の数または入力操作可能な領域の機能に関する情報である。ステップＳ２において、現在タッチパネル１１の操作が無効な状態であるときには（Ｓ２の「NO」）、ステップＳ１に戻る。
【００２２】
タッチパネル１１の操作有効を示す報知情報が出力され、これを認識したユーザが左手の指で動作モード切替操作領域１０１を長押し操作すると（Ｓ５の「YES」）、当該操作のタッチ位置および操作種別の情報が動作モード切替部１２４で取得される。動作モード切替部１２４は、タッチパネル１１で動作モード切替操作領域１０１が長押し操作されたことを検知すると、自装置内を通常動作モードからブラインドモードに切り替える（Ｓ６）。動作モード切替部１２４によりブラインドモードに切り替えられると、操作領域変更部１２５ａにより表示制御部１２６を介して、表示部１１１に表示されている各入力操作領域の大きさが変更される（Ｓ７）。
【００２３】
各入力操作領域の大きさが変更された表示情報の例を、図４に示す。図４において、入力操作領域１０２〜１０６に関し、点線は通常動作モード時に設定されていた領域を示し、実線はブラインドモードに切り替えられたことにより変更された後の領域を示す。本実施形態において、所定範囲内に隣り合う他の入力操作領域がない再生位置指定操作領域１０２に関してはその大きさを大きくすることで、ユーザの指定操作をしやすくしている。また、領域の外周から所定範囲内に隣り合う他の入力操作領域がある早戻し操作領域１０３、再生／一時停止操作領域１０４、停止操作領域１０５、および早送り操作領域１０６は、隣り合う入力操作領域との間隔が広くなるように各入力操作領域を小さくすることで、ユーザが各領域を識別しやすくしている。
【００２４】
また、ブラインドモードに切り替えられた後、動作モード切替操作領域１０１への長押し操作が維持されている間は、タッチパネル１１上での入力操作領域の探索操作が実行可能になる（Ｓ８の「YES」、Ｓ９、Ｓ１０の「NO」）。
【００２５】
タッチパネル１１上での入力操作領域の探索操作について、探索操作(1)および探索操作(2)の２つのパターンについて説明する。
【００２６】
［探索操作(1)］
探索操作(1)により実行される処理を、図５のフローチャートに示す。上述したようにユーザが左手の指で動作モード切替操作領域１０１を長押し操作している状態で、右手の指でタッチパネル１１上をドラッグ操作し（Ｓ９１の「YES」）、当該ドラッグ操作内でいずれかの入力操作領域に差し掛かると（Ｓ９２の「YES」）、当該操作位置および操作種別がブラインドモード制御部１２５で取得される。ここで、直接入力操作領域にタッチ操作した場合は短い区間のドラッグ操作が行なわれたものと見なし（Ｓ９２の「YES」）、以降の説明におけるドラッグ操作も同様とする。
【００２７】
操作領域情報報知部１２５ｂは、タッチパネル１１上で、ドラッグ操作中にいずれかの入力操作領域に右手の指が差し掛かったことを検知すると（Ｓ９２の「YES」）、報知情報としてのアラーム音を、音声出力制御部１２７を介してスピーカ１３から出力させる（Ｓ９３）。その後、ドラッグ操作していた右手の指がタッチパネル１１から離され、入力操作領域に右手の指が乗った状態からドラッグ操作が解除された状態に移行したことを検知すると、操作領域情報報知部１２５ｂは、該当する入力操作領域に対応する機能を報知する音声情報、例えば「再生します」を、音声出力制御部１２７を介してスピーカ１３から出力させる（Ｓ９５）。左手の指が動作モード切替操作領域１０１を長押し操作しているまま、右手の指でドラッグ操作が継続され（Ｓ９４の「NO」）、他の入力操作領域に差し掛かると（Ｓ９２の「YES」）、再度アラーム音が出力される。このアラーム音は、入力操作領域によって異なる種類の音にしてもよい。
【００２８】
ブラインドモード中は、ドラッグ操作が行われる都度、ステップＳ９２〜Ｓ９５の処理が繰り返される。
【００２９】
［探索操作(2)］
探索操作(2)により実行される処理を、図６のフローチャートに示す。上述したようにユーザが左手の指で動作モード切替操作領域１０１を長押し操作している状態で、右手の指でタッチパネル１１上をドラッグ操作し（Ｓ９１の「YES」）、当該ドラッグ操作内でいずれかの入力操作領域に差し掛かると（Ｓ９２の「YES」）、当該操作位置および操作種別がブラインドモード制御部１２５で取得される。
【００３０】
操作領域情報報知部１２５ｂは、タッチパネル１１上で、ドラッグ操作中にいずれかの入力操作領域に右手の指が差し掛かったことを検知すると（Ｓ９２の「YES」）、該当する入力操作領域に対応する機能を報知する音声情報、例えば「再生します」を、音声出力制御部１２７を介してスピーカ１３から出力させる（Ｓ９６）。左手の指が動作モード切替操作領域１０１を長押し操作しているまま、右手の指でドラッグ操作が継続され（Ｓ９７の「NO」）、他の入力装置領域に差し掛かると（Ｓ９２の「YES」）、当該入力操作領域に対応する機能を報知する音声情報が出力される。
【００３１】
ドラッグ操作していた右手の指がタッチパネル１１から離され、入力操作領域が操作された状態からドラッグ操作が解除された状態に移行した後（Ｓ９７の「YES」）、ブラインドモード中に再度ドラッグ操作が行われれば、ステップＳ９２〜Ｓ９７の処理が繰り返される。
【００３２】
上述した探索操作(1)または(2)が実行されることにより、ユーザの操作に応じて入力操作領域に関する報知情報が出力され、視覚障がい者であっても、所望の機能を実行するための入力操作領域の位置を把握することができる。
【００３３】
図３のフローチャートに戻り、ユーザが所望の機能を実行するための入力操作領域の位置を把握した後、動作モード切替領域への長押し操作をしていた左手の指をタッチパネル１１から離すと（Ｓ１０の「YES」）、動作モード切替部１２４によりブラインドモードから通常動作モードに切り替えられる（Ｓ１１）。
【００３４】
そして、ユーザが把握した所望の入力操作領域をタッチ操作すると（Ｓ１２の「YES」）、該当する機能、例えば「再生」処理が実行される（Ｓ１３）。
【００３５】
以上の実施形態によれば、ユーザが視覚障がい者であっても、タッチパネルを用いて、容易に所望の入力操作位置を把握して入力操作を実行させることができる。
【００３６】
上述した実施形態において、操作領域情報報知部１２５ｂにより報知情報としてアラーム音を出力させる処理に換えて、振動制御部１２８の制御により振動部１１３でタッチパネル１１を振動させるようにすることで、ユーザに情報を報知するようにしてもよい。
【符号の説明】
【００３７】
１  情報入力装置
１１  タッチパネル
１２  ＣＰＵ
１３  スピーカ
１０１  動作モード切替操作領域
１０２  再生位置指定操作領域
１０３  早戻し操作領域
１０４  再生／一時停止操作領域
１０５  停止操作領域
１０６  早送り操作領域
１１１  表示部
１１２  操作検出部
１１３  振動部
１２１  操作位置検出部
１２２  操作種別判定部
１２３  情報入力部
１２４  動作モード切替部
１２５  ブラインドモード制御部
１２５ａ  操作領域変更部
１２５ｂ  操作領域情報報知部
１２６  表示制御部
１２７  音声出力制御部
１２８  振動制御部
【図１】
2019057233.tif 000003
【図２】
2019057233.tif 000004
【図３】
2019057233.tif 000005
【図４】
2019057233.tif 000006
【図５】
2019057233.tif 000007
【図６】
2019057233.tif 000008